【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
モバイルデバイス上で階の変化を検出するための方法であって、
圧力を監視することと、
経時的な前記圧力における変化の割合が所定の圧力変化率閾値を超えることを決定することと、
経時的な前記圧力における変化の前記割合がもはや前記所定の圧力変化率閾値を超えないことをその後決定することと、
圧力における変化が所定の圧力変化閾値を超えたことを決定することと、
階の曖昧さ排除を実施することと
を備え、
ここにおいて、前記階の曖昧さ排除が、１つまたは複数の地上波ワイヤレストランシーバから受信されるデータを使用して実施され、
ここにおいて、前記モバイルデバイスは、ワイヤレス地上波トランシーバ信号の受信信号強度（ＲＳＳＩ）またはラウンドトリップ時間（ＲＴＴ）を決定し、前記ワイヤレス地上波トランシーバに対する前記モバイルデバイスの前記位置を決定するために、前記ＲＳＳＩまたはＲＴＴを使用する、方法。
【請求項２】
圧力における前記変化に関連する活動時間（ＴＴＬ）有効期間を受信することと、
圧力における前記変化に関連する前記ＴＴＬ有効期間が満了したことを決定することと、
前記圧力における変化の前記割合および圧力における前記変化を無視することと
をさらに備える、請求項１に記載の方法。
【請求項３】
前記モバイルデバイスが室内現場中に位置することを決定することと、
階の曖昧さ排除を実施することと
をさらに備える、請求項１に記載の方法。
【請求項４】
前記モバイルデバイスの速度が速度閾値を超えることを決定することと、
前記圧力を無視することと
をさらに備える、請求項１に記載の方法。
【請求項５】
経時的に前記圧力を監視すること、経時的な前記圧力における変化の前記割合が前記所定の圧力変化率閾値を超えることを決定すること、経時的な前記圧力における変化の前記割合がもはや前記所定の圧力変化率閾値を超えないことをその後決定すること、および圧力における前記変化が前記所定の圧力変化閾値を超えたことを決定することが、センサコアを使用して実施される、請求項１に記載の方法。
【請求項６】
前記階の曖昧さ排除が、アプリケーションコアを使用して実施され、前記センサコアが、前記アプリケーションコアよりも少ない電力を使用する、請求項５に記載の方法。
【請求項７】
前記階の曖昧さ排除が、圧力センサからのデータを使用して実施される、請求項１に記載の方法。
【請求項８】
圧力を監視するための手段と、
経時的な前記圧力における変化の割合が所定の圧力変化率閾値を超えることを決定するための手段と、
経時的な前記圧力における変化の前記割合がもはや前記所定の圧力変化率閾値を超えないことをその後決定するための手段と、
圧力における変化が所定の圧力変化閾値を超えたことを決定するための手段と、
階の曖昧さ排除を実施するための手段と
を備えたモバイルデバイスであって、
ここにおいて、前記階の曖昧さ排除が、１つまたは複数の地上波ワイヤレストランシーバから受信されるデータを使用して実施され、
ここにおいて、前記モバイルデバイスは、ワイヤレス地上波トランシーバ信号の受信信号強度（ＲＳＳＩ）またはラウンドトリップ時間（ＲＴＴ）を決定し、前記ワイヤレス地上波トランシーバに対する前記モバイルデバイスの前記位置を決定するために、前記ＲＳＳＩまたはＲＴＴを使用する、モバイルデバイス。
【請求項９】
圧力における前記変化に関連する活動時間（ＴＴＬ）有効期間を受信するための手段と、
圧力における前記変化に関連する前記ＴＴＬ有効期間が満了したことを決定するための手段と、
前記圧力における変化の前記割合および圧力における前記変化を無視するための手段と
をさらに備える、請求項８に記載の装置。
【請求項１０】
前記モバイルデバイスが室内現場中に位置することを決定するための手段と、
階の曖昧さ排除を実施するための手段と
をさらに備える、請求項８に記載の装置。
【請求項１１】
前記モバイルデバイスの速度が速度閾値を超えることを決定するための手段と、
前記圧力を無視するための手段と
をさらに備える、請求項８に記載の装置。
【請求項１２】
経時的に前記圧力を監視するための前記手段、経時的な前記圧力における変化の前記割合が前記所定の圧力変化率閾値を超えることを決定するための前記手段、経時的な前記圧力における変化の前記割合がもはや前記所定の圧力変化率閾値を超えないことをその後決定するための前記手段、および圧力における前記変化が前記所定の圧力変化閾値を超えたことを決定するための前記手段が、センサコアを含む、請求項８に記載の装置。
【請求項１３】
階の曖昧さ排除を実施するための前記手段がアプリケーションコアを含み、前記センサコアが前記アプリケーションコアよりも少ない電力を使用する、請求項１２に記載の装置。
【請求項１４】
前記階の曖昧さ排除が、圧力センサからのデータを使用して実施される、請求項８に記載の装置。
【請求項１５】
請求項１ないし７のいずれか一項に記載の方法を実施するためのコードを備える、プロセッサ可読命令を備える、非一時的なプロセッサ可読媒体。
【手続補正２】
【補正対象書類名】明細書
【補正対象項目名】００９２
【補正方法】変更
【補正の内容】
【００９２】
[0099]様々な例について説明した。これらおよび他の例は、以下の請求項の範囲内である。
以下に本願の出願当初の特許請求の範囲に記載された発明を付記する。
［Ｃ１］  モバイルデバイス上で階の変化を検出するための方法であって、
圧力を監視することと、
経時的な前記圧力における変化の割合が所定の圧力変化率閾値を超えることを決定することと、
経時的な前記圧力における変化の前記割合がもはや前記所定の圧力変化率閾値を超えないことをその後決定することと、
圧力における変化が所定の圧力変化閾値を超えたことを決定することと、
階の曖昧さ排除を実施することとを備える方法。
［Ｃ２］  圧力における前記変化に関連する活動時間（ＴＴＬ）有効期間を受信することと、
圧力における前記変化に関連する前記ＴＴＬ有効期間が満了したことを決定することと、
前記圧力における変化の前記割合および圧力における前記変化を無視することとをさらに備える、Ｃ１に記載の方法。
［Ｃ３］  前記モバイルデバイスが室内現場中に配置されることを決定することと、
階の曖昧さ排除を実施することとをさらに備える、Ｃ１に記載の方法。
［Ｃ４］  前記モバイルデバイスの速度が速度閾値を超えることを決定することと、
前記圧力を無視することとをさらに備える、Ｃ１に記載の方法。
［Ｃ５］  経時的に前記圧力を監視すること、経時的な前記圧力における変化の前記割合が前記所定の圧力変化率閾値を超えることを決定すること、経時的な前記圧力における変化の前記割合がもはや前記所定の圧力変化率閾値を超えないことをその後決定すること、および圧力における前記変化が前記所定の圧力変化閾値を超えたことを決定することが、センサコアを使用して実施される、Ｃ１に記載の方法。
［Ｃ６］  前記階の曖昧さ排除が、アプリケーションコアを使用して実施され、前記センサコアが、前記アプリケーションコアよりも小さい電力を使用する、Ｃ５に記載の方法。
［Ｃ７］  前記階の曖昧さ排除が、圧力センサからのデータを使用して実施される、Ｃ１に記載の方法。
［Ｃ８］  前記階の曖昧さ排除が、１つまたは複数の地上波ワイヤレストランシーバから受信されるデータを使用して実施される、Ｃ１に記載の方法。
［Ｃ９］    圧力を監視し、
経時的な前記圧力における変化の割合が所定の圧力変化率閾値を超えることを決定し、
経時的な前記圧力における変化の前記割合がもはや前記所定の圧力変化率閾値を超えないことをその後決定し、
圧力における変化が所定の圧力変化閾値を超えたことを決定する
ように構成されるセンサコアと、
階の曖昧さ排除を実施するように構成されるアプリケーションコアとを備える、モバイルデバイス。
［Ｃ１０］  前記センサコアが
圧力における前記変化に関連する活動時間（ＴＴＬ）有効期間を受信し、
圧力における前記変化に関連する前記ＴＴＬ有効期間が満了したことを決定し、
前記圧力における変化の前記割合および圧力における前記変化を無視するようにさらに構成される、Ｃ９に記載の装置。
［Ｃ１１］  前記モバイルデバイスが室内現場中に配置されることを決定するように前記センサコアが構成され、
前記アプリケーションコアが階の曖昧さ排除を実施するように構成される、Ｃ９に記載の装置。
［Ｃ１２］  前記センサコアが
前記モバイルデバイスの速度が速度閾値を超えることを決定し、
前記圧力を無視するようにさらに構成される、Ｃ９に記載の装置。
［Ｃ１３］  圧力センサをさらに備え、前記階の曖昧さ排除が、前記圧力センサからのデータを使用して実施される、Ｃ９に記載の装置。
［Ｃ１４］  前記階の曖昧さ排除が、１つまたは複数の地上波ワイヤレストランシーバから受信されるデータを使用して実施される、Ｃ９に記載の装置。
［Ｃ１５］  前記センサコアが、前記アプリケーションコアよりも小さい電力を使用する、Ｃ９に記載の装置。
［Ｃ１６］  圧力を監視するための手段と、
経時的な前記圧力における変化の割合が所定の圧力変化率閾値を超えることを決定するための手段と、
経時的な前記圧力における変化の前記割合がもはや前記所定の圧力変化率閾値を超えないことをその後決定するための手段と、
圧力における変化が所定の圧力変化閾値を超えたことを決定するための手段と、
階の曖昧さ排除を実施するための手段とを備える、モバイルデバイス。
［Ｃ１７］  圧力における前記変化に関連する活動時間（ＴＴＬ）有効期間を受信するための手段と、
圧力における前記変化に関連する前記ＴＴＬ有効期間が満了したことを決定するための手段と、
前記圧力における変化の前記割合および圧力における前記変化を無視するための手段とをさらに備える、Ｃ１６に記載の装置。
［Ｃ１８］  前記モバイルデバイスが室内現場中に配置されることを決定するための手段と、
階の曖昧さ排除を実施するための手段とをさらに備える、Ｃ１６に記載の装置。
［Ｃ１９］  前記モバイルデバイスの速度が速度閾値を超えることを決定するための手段と、
前記圧力を無視するための手段とをさらに備える、Ｃ１６に記載の装置。
［Ｃ２０］  経時的に前記圧力を監視するための前記手段、経時的な前記圧力における変化の前記割合が前記所定の圧力変化率閾値を超えることを決定するための前記手段、経時的な前記圧力における変化の前記割合がもはや前記所定の圧力変化率閾値を超えないことをその後決定するための前記手段、および圧力における前記変化が前記所定の圧力変化閾値を超えたことを決定するための前記手段が、センサコアを含む、Ｃ１６に記載の装置。
［Ｃ２１］  階の曖昧さ排除を実施するための前記手段がアプリケーションコアを含み、前記センサコアが前記アプリケーションコアよりも小さい電力を使用する、Ｃ２０に記載の装置。
［Ｃ２２］  前記階の曖昧さ排除が、圧力センサからのデータを使用して実施される、Ｃ１６に記載の装置。
［Ｃ２３］  前記階の曖昧さ排除が、１つまたは複数の地上波ワイヤレストランシーバから受信されるデータを使用して実施される、Ｃ１６に記載の装置。
［Ｃ２４］  圧力を監視するためのコードと、
経時的な前記圧力における変化の割合が所定の圧力変化率閾値を超えることを決定するためのコードと、
経時的な前記圧力における変化の前記割合がもはや前記所定の圧力変化率閾値を超えないことをその後決定するためのコードと、
圧力における変化が所定の圧力変化閾値を超えたことを決定するためのコードと、
階の曖昧さ排除を実施するためのコードとを備える、プロセッサ可読命令を備える、非一時的なプロセッサ可読媒体。
［Ｃ２５］  圧力における前記変化に関連する活動時間（ＴＴＬ）有効期間を受信するためのコードと、
圧力における前記変化に関連する前記ＴＴＬ有効期間が満了したことを決定するためのコードと、
前記圧力における変化の前記割合および圧力における前記変化を無視するためのコードとをさらに備える、Ｃ２４に記載のプロセッサ可読媒体。
［Ｃ２６］  モバイルデバイスが室内現場中に配置されることを決定するためのコードと、
階の曖昧さ排除を実施するためのコードとをさらに備える、Ｃ２４に記載のプロセッサ可読媒体。
［Ｃ２７］  モバイルデバイスの速度が速度閾値を超えることを決定するためのコードと、
前記圧力を無視するためのコードとをさらに備える、Ｃ２４に記載のプロセッサ可読媒体。
［Ｃ２８］  経時的に前記圧力を監視するための前記コード、経時的な前記圧力における変化の前記割合が前記所定の圧力変化率閾値を超えることを決定するための前記コード、経時的な前記圧力における変化の前記割合がもはや前記所定の圧力変化率閾値を超えないことをその後決定するための前記コード、および圧力における前記変化が前記所定の圧力変化閾値を超えたことを決定するための前記コードが、センサコアを使用して実行され、
階の曖昧さ排除を実施するための前記コードがアプリケーションコアを使用して実行され、前記センサコアが前記アプリケーションコアよりも小さい電力を使用する、Ｃ２４に記載のプロセッサ可読媒体。
［Ｃ２９］  前記階の曖昧さ排除が、圧力センサからのデータを使用して実施される、Ｃ２４に記載のプロセッサ可読媒体。
［Ｃ３０］  前記階の曖昧さ排除が、１つまたは複数の地上波ワイヤレストランシーバから受信されるデータを使用して実施される、Ｃ２４に記載のプロセッサ可読媒体。